(57)【特許請求の範囲】
【請求項１】
軸筒の途中に装着されるリングを備えた筆記具において、
前記リングには、環状のリング本体部の裏面側で突出する係止部が設けられ、前記軸筒の表面には、周方向に延在し且つ前記係止部が当接するフランジ状の抜け止め部が設けられ、前記抜け止め部には、前記軸筒の軸線方向に前記係止部の挿通を可能にする切欠き部が形成され、
前記係止部は、前記リング本体部の周縁から断面Ｌ字状に突出していることを特徴とする筆記具。
【請求項２】
前記リング本体部には、この周縁から内側に向かって径方向に突出する縮径部が設けられ、前記軸筒の前記表面には、前記抜け止め部と平行に延在するストッパ部が設けられ、前記縮径部の遊端は、前記ストッパ部と前記抜け止め部との間に嵌り込むことを特徴とする請求項１記載の筆記具。
【請求項３】
前記抜け止め部には、前記縮径部の前記遊端を案内するために前記軸筒の周面から前記抜け止め部の頂部に向かって延在する傾斜面が設けられていることを特徴とする請求項２に記載の筆記具。
【発明の詳細な説明】
【技術分野】
【０００１】
本発明は、軸筒の途中に装着されるリングを備えた筆記具に関するものである。
【背景技術】
【０００２】
従来、このような分野の技術として、特開２００５−４７２１９号公報がある。この公報に記載された筆記具は、ノック式の単芯筆記具であり、グリップ部材の後端に装飾リングが装着されている。グリップ部材の後端部には、縮径した段部が形成され、この段部に装飾リングが圧入され、グリップ部材が摩擦抵抗の高い部材により形成されているため、装飾リングは回転し難くなっている。また、グリップ部材が軟質樹脂で形成してあるので、圧入による装飾リングの変形が起きにくい。さらに、グリップ部材の後端には、軸心方向に向かって起伏する凹部が形成され、装飾リングの先端には、グリップ部材の凹部に対応する凸部が形成されているので、グリップ部材の凹部と装飾リングの凸部との係合によって、装飾リングの回転防止力を向上させている。
【０００３】
【特許文献１】特開２００５−４７２１９号公報
【発明の開示】
【発明が解決しようとする課題】
【０００４】
しかしながら、前述した従来の筆記具に利用される装飾リングは、軟質樹脂で形成されているグリップ部材の後端に圧入されているので、たとえグリップ部材の凹部と装飾リングの凸部との係合によって、装飾リングの回転防止力が得られても、軟質樹脂で形成されているグリップ部材の変形によって、装飾リングが回転する事態も起こり得る。さらに、筆記具が回転式の多芯筆記具(例えば、特開２００５−３３５１４８号公報)である場合に、インクの色を示す表示マークや指示マークを装飾リングに印刷すると仮定した場合、マークが正確な位置に固定されていることが肝要であり、リングの回転が起こり難い構造が必要である。
【０００５】
本発明は、軸筒に対するリングの回転が起き難い筆記具を提供することを目的とする。
【課題を解決するための手段】
【０００６】
本発明は、軸筒の途中に装着されるリングを備えた筆記具において、
リングには、環状のリング本体部の裏面側で突出する係止部が設けられ、軸筒の表面には、周方向に延在し且つ係止部が当接するフランジ状の抜け止め部が設けられ、抜け止め部には、軸筒の軸線方向に係止部の挿通を可能にする切欠き部が形成され、
係止部は、リング本体部の周縁から断面Ｌ字状に突出していることを特徴とする。
【０００７】
この筆記具において、軸筒にリングを装着するにあたって、先ず、リングの係止部が、軸筒に設けられたフランジ状の抜け止め部に当接させられ、リングを回転させながら係止部と抜け止め部の切欠き部との位置合わせを行う。その後、リングを軸筒の軸線方向に移動させることで、係止部が切欠き部内に入り込み、軸筒に対するリングの回転止めが容易且つ確実に達成される。
【０００８】
さらに、係止部は、リング本体部の周縁から断面Ｌ字状に突出している。
このような構成は、構造が簡単で大量に且つ安価にリングを製作することができる。
【０００９】
また、リング本体部には、この周縁から内側に向かって径方向に突出する縮径部が設けられ、軸筒の表面には、抜け止め部と平行に延在するストッパ部が設けられ、縮径部の遊端は、ストッパ部と抜け止め部との間に嵌り込むと好適である。
このような構成により、リングの縮径部の遊端が抜け止め部を乗り越えるように移動すると、リングの抜けを確実に防止することができる。
【００１０】
また、抜け止め部には、縮径部の遊端を案内するために軸筒の周面から抜け止め部の頂部に向かって延在する傾斜面が設けられていると好適である。
リングの縮径部の遊端は、抜け止め部を乗り越えて移動させる必要があるので、縮径部の遊端を傾斜面に沿って移動させることで、軸筒にリングが嵌め込み易くなる。
【発明の効果】
【００１１】
本発明によれば、軸筒に対するリングの回転を起き難くできる。
【発明を実施するための最良の形態】
【００１２】
以下、図面を参照しつつ本発明に係る筆記具の好適な実施形態について詳細に説明する。なお、ペン先側を「前方側」として以下説明する。
【００１３】
図１に示すように、回転式多芯筆記具１は、樹脂製の前軸２ａと後軸２ｂとからなる軸筒２を有し、前軸２ａには、表面をメッキ処理した略円錐状の先口部材１９が装着され、後軸２ｂにはクリップ２ｃが一体に形成され、前軸２ａと後軸２ｂとは相対的に回転する。さらに、軸筒２の前軸２ａの外周には、弾性体からなる筒状のグリップ部３が装着されている。このグリップ部３は、弾性変形し易い軟質材(例えば熱可塑性エラストマー(ＴＰＥ))からなり、二色成形によって、前軸２ａとグリップ部３は一体的に形成されている。
【００１４】
軸筒２内には、２本のボールペン型リフィール（例えば、赤、黒のインクが入ったリフィール）４ａとシャープペンシル型リフィール４ｂとが収容されている。各リフィール４ａ，４ｂは、軸筒２内に収容された中駒６によって支持され、この中駒６は、前軸２ａに対して回転しないように連結されると共に、後軸２ｂに対して回転するように連結されている。
【００１５】
さらに、中駒６には、各リフィール４ａ，４ｂが差し込まれる３個の挿入孔６ａと、各挿入孔６ａから後方に向かって軸線Ｌ方向に延在するガイド溝６ｂとが形成されている。各ガイド溝６ｂ内では、各リフィール４ａ，４ｂの後端に固定されたスライド駒７が摺動する。そして、各ガイド溝６ｂ内には、リフィール４ａ，４ｂに巻回された圧縮バネ８が装填され、圧縮バネ８の一端は中駒６によって支持され、圧縮バネ８の他端はスライド駒７によって支持されている。
【００１６】
さらに、中駒６の後端には、筒状の駆動カム９を回転自在に支持する支軸部６ｃが形成されている。支軸部６ｃを中心に後軸２ｂと一緒に回転する駆動カム９は、内側で支軸部６ｃに回転自在に連結される円筒状の基部１０と、この基部１０の後端から突出して消しゴム１３が装填されると共に、キャップ５を保持する消しゴム収容部１１と、基部１０の前端から軸筒２の先端側に向けて突出するカム本体部１２とからなる。このカム本体部１２は、基部１０の端から爪状に突出すると共に、円筒を斜めに切断した形状をなし、カム本体部１２の輪郭に沿って山形のカム面１２ａが形成されている。
【００１７】
これに対して、圧縮バネ８の付勢力によって駆動カム９の従動部材として機能する各スライド駒７は、ガイド溝６ｂ内を摺動する摺動部１５と、摺動部１５から突出してリフィール４ａ，４ｂの後端に差し込まれるピン状のリフィール装填部１６と、摺動部１５に一体に形成されると共に、三角形状をなす従動部１７とからなる。
【００１８】
従動部１７には、駆動カム９のカム面１２ａに沿って摺動するＶ字状の従動面１７ａが形成され、三角形状のカム本体部１２の先端には、従動部１７の頂部が入り込んで従動部１７を係止させるための凹部が形成されている。従って、後軸２ｂと一緒に駆動カム９が回転すると、カム本体部１２の凹部内にスライド駒７の頂部の何れかが選択的に入り込むので、後軸２ｂの回転によって、リフィール４ａ，４ｂの先端の何れかを軸筒２の先端から突出させることができる。
【００１９】
図２及び図３に示すように、軸筒２の前軸２ａは、グリップ部３が装着される円筒状の前軸本体部２０と、後軸２ｂ内に装填されて、後軸２ｂに対して回転自在に連結されると共に、中駒６に対して回転しないように連結される円筒状の連結部２１と、金属製の装飾用リング３０(図１参照)を装着させるために、連結部２１と前軸本体部２０との間に形成されたリング装着部２２と、金属メッキされた略円錐状の先口部材１９の内方に位置して、前軸本体部２０の前端から突出する略円錐状の拡張部２３とから構成されている。
【００２０】
図３〜図５に示すように、軸筒２の途中(外観的に前軸２ａと後軸２ｂとの間)にリング３０が配置され、前軸２ａと一緒に回転するリング３０の表面には、インクの色やシャープペンシルを表示するマークＭ(図４参照)が周方向に１２０度毎に印刷されている。このリング３０は、表示リングとしても利用され、クリップ２ｃの延長上にマークＭを合わせることで、筆記具から出ているインク色又はシャープ芯の区別が可能になる。また、リング３０は、相対的に回転する前軸２ａと後軸２ｂとの境界を示唆する役目も担っている。
【００２１】
リング３０には、環状のリング本体部３１が設けられ、リング本体部３１の裏面側に係止部３２が突出している。この係止部３２は、リング本体部３１の周縁から断面Ｌ字状に形成されている(図６参照)。さらに、リング本体部３１には、この周縁から内側に向かって径方向に突出する縮径部３３が設けられ、リング本体部３１に対して縮径部３３は直交して環状に延在する。そして、リング本体部３１に対して平行に、縮径部３３の遊端３３ａから爪片３２ａが突出する。このようなリング３０は、絞り加工によって縮径部３３が成形され、折り曲げ加工によって係止部３２が成形されているので、構造が簡単で、大量に且つ安価にリング３０を製作することができる。
【００２２】
リング装着部２２において、前軸２ａの表面には、周方向に延在し且つ係止部３２の爪片３２ａの先端が当接するＣ字のフランジ形状をなす抜け止め部３７が設けられている。この抜け止め部３７には、軸線Ｌ方向において、係止部３２の爪片３２ａの挿通を可能にする切欠き部３９が形成されている。
【００２３】
さらに、前軸２ａの表面には、抜け止め部３７と平行に延在するＣ字状のストッパ部３４が形成され、ストッパ部３４と抜け止め部３７との間には、縮径部３３の遊端３３ａが嵌り込む凹部３８(図６参照)が設けられている。抜け止め部３７には、縮径部３３の遊端３３ａを案内するために、前軸２ａの周面から抜け止め部３７の頂部に向かって延在する傾斜面３７ａ(図６参照)が設けられている。なお、ストッパ部３４には、抜け止め部３７の切欠き部３９に対して軸線Ｌ方向に整列させられている切欠き部３６が形成されている。
【００２４】
図６に示すように、前軸２ａにリング３０を嵌め込むにあたって、先ず、リング３０の開口３０ａ内に前軸２ａの連結部２１を挿入させ、リング３０の爪片３２ａの先端を、フランジ状の抜け止め部３７に押し当てながらリング３０を回転させる。そして、爪片３２ａと抜け止め部３７の切欠き部３９との位置が合うと、リング３０の爪片３２ａが軸線Ｌ方向に移動する。その結果、爪片３２ａが切欠き部３６，３９内に入り込み、前軸２ａに対するリング３０の回転止めが容易且つ確実になされる。このような構成は、リング３０を前軸２ａに嵌め込む際の作業性を向上させている。
【００２５】
また、抜け止め部３７の頂部の径は、リング３０における縮径部３３の遊端３３ａの径より大きくなっているので、爪片３２ａがストッパ部３４の切欠き部３６内に入り込んだ後、治具等を利用して、リング３０の縮径部３３の遊端３３ａが抜け止め部３７を乗り越えるように、リング３０を矢印方向に押圧する。この作業により、縮径部３３の遊端３３ａを、ストッパ部３４と抜け止め部３７との間の凹部３８内に入り込ませることができるので、リング３０は、軸線Ｌ方向に移動しないように前軸２ａに確実に固定させられる。さらに、前軸２ａに形成されたリング状のグリップ止め部４０が、リング本体部３１の先端内にガイドされるので、リング３０の組立てが一層確実なものになる。
【００２６】
また、リング３０の縮径部３３の遊端３３ａは、抜け止め部３７を乗り越えて軸線Ｌ方向に移動する際に、傾斜面３７ａに沿って移動するので、凹部３８内に縮径部３３の遊端３３ａが嵌り込み易い。
【００２７】
本発明は、前述した実施形態に限定されないことは言うまでもない。例えば、本発明は、ノック式筆記具にも適用可能であり、単芯であっても多芯であっても適用可能である。
【図面の簡単な説明】
【００２８】
【図１】本発明に係る筆記具の一実施形態を示す断面図である。
【図２】図１に示された筆記具の前軸を示す斜視図である。
【図３】前軸の正面図である。
【図４】前軸とリングとを示す斜視図である。
【図５】リングの正面図である。
【図６】前軸にリングが装着された状態を示す断面図である。
【符号の説明】
【００２９】
１…筆記具、２…軸筒、２ａ…前軸、２２…リング装着部、３０…リング、３１…リング本体部、３２…係止部、３３…縮径部、３３ａ…縮径部の遊端、３４…ストッパ部、３６…切欠き部、３７…抜け止め部、３７ａ…傾斜面、３８…凹部、Ｌ…軸線。
【図１】
0005226333.tif 000002
【図２】
0005226333.tif 000003
【図３】
0005226333.tif 000004
【図４】
0005226333.tif 000005
【図５】
0005226333.tif 000006
【図６】
0005226333.tif 000007